【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
１つまたは複数の結像装置（５１０、７２６）のための照射システムであって、該照射システムは、
（ａ）複数の緊密充填された非結像形態形成平行化光学的要素（６４５）であって、
（ｉ）前記光学的要素の各々が、対応する光学的導波路（６４０）から光を受け取り、
（ｉｉ）前記緊密充填された非結像形態形成平行化光学的要素の隣接は、スクロールの方法で動作するように構成される、非結像形態形成平行化光学的要素（６４５）と、
（ｂ）複数のプリズム（６５５、６６８）と、
を備え、
（ｃ）前記プリズムの各々が、対応する光学的要素の光出力に位置する、照射システム。
【請求項２】
ビーム・スプリッタ・システムであって、
（ａ）複数の照射源（１２０）と、
（ｂ）前記照射源からの光入力を受け取るように構成される、複数の緊密充填された非結像形態形成平行化光学的要素（１２２）と、
（ｃ）入来光線を分割するように構成される、複数のビーム・スプリッタ・プリズム（１４０）と、
（ｄ）前記ビーム・スプリッタ・プリズムから分割された光線を受け取るように構成される、複数の非結像集光要素（１３０）と、
（ｅ）前記非結像形態形成平行化要素によって受け取られない光を受け取るように構成されるビーム・ダンプ（１５０）と、
を連続して備えるビーム・スプリッタ・システム。
【請求項３】
請求項２に記載のビーム・スプリッタ・システムであって、前記ビーム・スプリッタ・プリズムは、波長、偏光、および、時間からなるグループから選択される前記入来光線の特性に応じて、前記入来光線を分割する、ビーム・スプリッタ・システム。
【請求項４】
請求項２に記載のビーム・スプリッタ・システムであって、該ビーム・スプリッタ・システムは、複数の光学的導波路をさらに備え、前記光学的導波路の各々は、前記非結像集光要素の対応する１つの光出力に接続される、ビーム・スプリッタ・システム。
【請求項５】
請求項２に記載のビーム・スプリッタ・システムであって、該ビーム・スプリッタ・システムは、複数の光学的検出器をさらに備え、前記光学的検出器の各々は、前記非結像集光要素の対応する１つの光出力に接続される、ビーム・スプリッタ・システム。
【請求項６】
請求項２に記載のビーム・スプリッタ・システムであって、該ビーム・スプリッタ・システムは、複数の光学的均一化器（１６８）をさらに備え、前記均一化器の各々は、前記非結像平行化光学的要素の１つと前記ビーム・スプリッタ・プリズム（１８０）の対応する１つとの間に、光学的に定置される、ビーム・スプリッタ・システム。
【請求項７】
請求項２に記載のビーム・スプリッタ・システムであって、該ビーム・スプリッタ・システムは、複数の光学的偏光分離要素をさらに備え、前記偏光分離要素の各々は、前記非結像形態形成平行化光学的要素の１つと前記ビーム・スプリッタ・プリズム（１８０）の対応する１つとの間に、光学的に定置される、ビーム・スプリッタ・システム。
【請求項８】
請求項２に記載のビーム・スプリッタ・システムであって、前記ビーム・スプリッタ・プリズムの１つまたは複数によって指向されるエネルギの比率は、光学的消光、フレーム連続色分離、スクロール色分離、および、波長スイッチングからなるグループから選択される機能を行うために、電気的に制御される、ビーム・スプリッタ・システム。
【請求項９】
光学的投影システムであって、
（ａ）複数の光学的ロッド要素であって、前記光学的ロッド要素の各々は、複合タイル型ディスプレイ画像の部分を投影するように機能的に構成され、
（ｉ）前記光学的ロッド要素の各々の長さは、動作温度範囲にわたって十分に特徴付けられ、
（ｉｉ）前記光学的ロッド要素の各々は、熱的に安定な材料から構築され、
（ｂ）前記光学的ロッド要素の少なくとも１つは、ディスプレイ投影機内の浮きプラットフォームに接続される、複数の光学的ロッド要素と、
（ｃ）前記光学的ロッド要素のいくつかの間の温度均一性を強化するように構成される空気流動装置と、
を備える光学的投影システム。
【請求項１０】
光システムであって、
複数の照射光源であって、複数の照射光源のそれぞれが、スペクトルの異なる部分に電磁気エネルギを送る、複数の照射光源と、
緊密充填されたアレイに互いに隣接して配列される複数の先細りした非結像平行化要素であって、それぞれが前記複数の照射光源の個別の光源からの電磁気エネルギを受け取り、前記エネルギを第１の軸に沿った光線に平行化する複数の非結像平行化要素と、
互いに隣接し且つ前記緊密充填されたアレイに隣接して順に配列される複数のビーム・スプリッタ・プリズムであって、それぞれが前記複数の光線の個別の光線の少なくとも一部を第２の軸に反射し、前記順のプリズムの前のプリズムからの光線を前記第２の軸に沿って送る複数のビーム・スプリッタ・プリズムと、
前記第２の軸に沿って反射された前記光線を受け取る出力手段と、
を備える光システム。
【請求項１１】
請求項１０に記載の光システムであって、前記出力手段は、前記第２の軸に沿って反射された光線のそれぞれを受け取る非結像光学的要素を含み、前記ビーム・スプリッタ・プリズムの最後と前記非結像光学的要素との間にさらなるビーム・スプリッタを更に備える光システム。
【請求項１２】
請求項１０に記載の光システムであって、前記照射光源のそれぞれは、波長λ１及びλ２の間の第１の帯域の電磁気エネルギを送る第１の半導体と、波長λ３及びλ４の間の電磁気エネルギを送る第２の半導体と、波長λ５及びλ６の間の電磁気エネルギを送る第３の半導体と、を含む半導体送出器を含む、光システム。
【請求項１３】
請求項１０に記載の光システムであって、前記出力手段によって受け取られない前記光線からの電磁気エネルギを受け取るビーム・ダンプを更に備える光システム。
【請求項１４】
光システムであって、
多重された帯域の電磁気エネルギを受け取る入力光学的要素と、
順に配列された複数のビーム・スプリッタ・プリズムであって、前記複数のビーム・スプリッタ・プリズムの最初は、第１の軸に沿って前記入力光学的要素からの前記多重された帯域の電磁気エネルギを受け取り、前記複数のビーム・スプリッタ・プリズムの複数の後続を介して前記帯域を第２の軸に沿って指向させ、前記複数のビーム・スプリッタ・プリズムのそれぞれは、前記多重された帯域の１つの光線を前記第１の軸に沿って反射し、前記複数のビーム・スプリッタ・プリズムの前のものによって受け取られなかった前記多重された複数の光線を前記複数のビーム・スプリッタ・プリズムの１つの後続に送る、複数のビーム・スプリッタ・プリズムと、
緊密充填されたアレイに互いに隣接して配列される複数の先細りした非結像集光要素であって、それぞれが前記複数のビーム・スプリッタ・プリズムの連続体から複数の光線の１つを受け取る複数の非結像集光要素と、
それぞれが前記複数の非結像集光要素の１つからの光線を受け取る複数の光検出器と、
を備える光システム。
【請求項１５】
請求項１４に記載の光システムであって、前記複数のビーム・スプリッタ・プリズムの連続体の最後に隣接するビーム・ダンプであって、前記複数のビーム・スプリッタ・プリズムの連続体によって前記先細りした非結像集光要素に指向されなかった電磁気エネルギを受け取るビーム・ダンプを更に備える光システム。
【請求項１６】
請求項１４に記載の光システムであって、前記多重された帯域の電磁気エネルギは、波長λ１及びλ２、λ３及びλ４、並びにλ５及びλ６の間の電磁気エネルギを含む、光システム。
【請求項１７】
光システムであって、
情報信号を搬送する複数の照射光源と、
緊密充填されたアレイに互いに隣接して配列される複数の先細りした非結像集光要素であって、それぞれが前記複数の非結像集光要素の個別の要素からの照射光線を受け取り、前記光線を第１の軸に沿って平行化する複数の非結像集光要素と、
第２の軸に沿って光を投影する可視光照射光源と、
前記平行化要素からの前記光線と前記光照射光源からの前記光とを受け取り、前記光線と前記光とを前記第１及び第２の軸の１つに沿って投影する光線結合器と、
前記光線結合器によって前記第１及び第２の軸の１つに沿って投影された前記光線と前記光とを受け取る非結像平行化器と、
を備える光システム。
【請求項１８】
請求項１７に記載の光システムであって、前記非結像平行化器に接続された光ファイバと、前記光ファイバからの入力信号を前記光線結合器から受け取る信号検出器と、を更に備える光システム。
【請求項１９】
請求項１７に記載の光システムであって、可視光が前記情報信号の信号対雑音比を劣化させない手段であって、前記可視光光源と前記光線結合器との間のホットミラーを含む手段を更に備える光システム。